(57)【特許請求の範囲】
【請求項１】
第１ケース部材に第２ケース部材を組み合わせることによって、回路基板を収納可能な内部空間内を形成するケース本体と、
前記第１ケース部材と前記第２ケース部材とを組み合わせたとき、前記第１ケース部材に設けられた第１封止片と、前記第２ケース部材に設けられた第２封止片とが組み合わされて形成される封止部と、
前記封止部内に配置された通信手段と、
を備え、
組み合わされた前記第１封止片と前記第２封止片とに挿入されると、これら封止片を止めると共に前記封止部から分離不能な封止具を用いて、前記封止部を構成する前記第１封止片と前記第２封止片とを止めることで、前記回路基板を前記ケース本体内に封止する基板ケースにおいて、
前記通信手段は、
前記第１封止片に一部が固定されており、
前記封止部を前記封止具で止めると、前記第２封止片に他の部分が固定される
ことを特徴とする基板ケース。
【請求項２】
請求項１に記載の基板ケースにおいて、
前記通信手段は、
長尺状に形成されており、
長手方向の一端が前記第１封止片に固定されており、
前記封止具は、
組み合わされた前記第１封止片と前記第２封止片とを止めるため前記封止部に挿入されると前記通信手段の長手方向の他端を押し、前記封止部を止めると該他端を前記第２封止片に固定する
ことを特徴とする基板ケース。
【請求項３】
請求項２に記載の基板ケースにおいて、
前記通信手段の他端には、
前記封止具として用いられるネジの軸部を挿通可能な挿通孔が形成された挿通部が備えられ、
前記ネジは、
前記軸部の外周から突設され、前記軸部の軸周りに形成されたフランジ部を備え、
前記通信手段の他端は、
前記フランジ部よりも先端側にある前記ネジの軸部が前記挿通部に通され、前記挿通部が前記フランジ部に押されて前記第２封止片側に移動し、前記ネジの軸部の先端が前記第２封止片に螺入されることによって前記第２封止片側で止められる
ことを特徴とする基板ケース。
【請求項４】
請求項１〜３のいずれかに記載の基板ケースにおいて、
前記通信手段は、ＩＣタグと、前記ＩＣタグを収納するＩＣタグ収納具とを備えることを特徴とする基板ケース。
【請求項５】
請求項１〜４のいずれかに記載の基板ケースにおいて、
前記封止具は、ワンウェイネジであることを特徴とする基板ケース。
【請求項６】
請求項１〜５のいずれか記載の基板ケースと、
前記基板ケースに備えられた前記通信手段と通信可能か判定する通信判定手段と、
前記通信判定手段が前記通信手段と通信できない場合、報知する第１報知手段と
を備えることを特徴とする封止判定システム。
【請求項７】
前記封止部が複数備えられた前記基板ケースで使用される請求項６に記載の封止システムであって、
前記各通信手段と通信し、予め定めた複数の第２報知情報のうち前記各通信手段に予め記憶させておいた前記第２報知情報を受信する受信手段と、
前記受信手段が受信した情報が、予め定めた複数の前記第２報知情報のうちのいずれかでない場合、報知する第２報知手段と
を備えることを特徴とする封止判定システム。
【発明の詳細な説明】
【技術分野】
【０００１】
本発明は、遊技機の制御用の回路基板を収納する基板ケース及び、この基板ケースの封止判定システムに関する。
【背景技術】
【０００２】
遊技機の制御用の回路基板は、不正を防止するため、封止された基板ケース内に収納された状態で遊技機の裏面側に取り付けられるのが一般的である。
この基板ケース２００は、図１３に示すように、上下２つのケース部材２１０，２２０で構成されており、回路基板２３０は、これらケース部材２１０，２２０を合わせたケース本体内２４０にできる内部空間２４１内に収納される。
【０００３】
また、この基板ケース２００を構成する各ケース部材２１０，２２０には、これらケース部材２１０，２２０が合わされたときに組み合わされて封止部２５０を構成する封止片２５１，２５２がそれぞれ設けられている。
【０００４】
ケース本体２４０の封止は、ケース部材２１０，２２０を合わせたときに封止部２５０を構成する各封止片２５１，２５２にネジ２６０を通し、これら封止片２５１，２５２をネジ止めすることによって行われる。
【０００５】
また、この基板ケース２００は、封止部２５０の封止が解かれたか否かを判定するため、図１３に示すように、封止部２５０内にＩＣタグ２７０を備えている（特許文献１）。
これは、この封止部２５０が切り取られて不正に封止が解かれると、ＩＣタグ２７０が破損して通信できなくなるので、ＩＣタグ２７０を通信できるか否かを判定することにより、不正に封止が解かれていないか監視するためである。
【先行技術文献】
【特許文献】
【０００６】
【特許文献１】特開２００８−１１３８１２号公報
【発明の概要】
【発明が解決しようとする課題】
【０００７】
しかし、従来の基板ケース２００は、図１３に示すように、封止部２５０を構成する一方の封止片２５２の側にのみＩＣタグ２７０が設けられていた。
このため、ＩＣタグ２７０が設けられていない側の封止片２５２が、ケース本体２４０と、ネジ止め部分との間（記号αの部分）の位置で切断されると、ＩＣタグ２７０が切断されることなくケース本体２４０の封止を不正に解くことができてしまい、ケース本体２４０の封止が不正に解かれたか否かを確実に監視することはできないという問題があった。
【０００８】
そこで本発明では、上述の問題点を解決し、ケース本体の封止が不正に開けられた否かを確実に監視できる基板ケース、及び、これを用いた封止判定システムを提供することを目的とする。
【課題を解決するための手段】
【０００９】
上述した問題を解決するためになされた発明である請求項１に記載の基板ケースは、第１ケース部材に第２ケース部材を組み合わせることによって、回路基板を収納可能な内部空間内を形成するケース本体と、
前記第１ケース部材と前記第２ケース部材とを組み合わせとき、前記第１ケース部材に設けられた第１封止片と、前記第２ケース部材に設けられた第２封止片とが組み合わされて形成される封止部と、
前記封止部内に配置された通信手段と、
を備え、
組み合わされた前記第１封止片と前記第２封止片とに挿入されると、これら封止片を分離不能に止める封止具を用いて、前記封止部を構成する前記第１封止片と前記第２封止片とを止めることで、前記回路基板を前記ケース本体内に封止する基板ケースにおいて、
前記通信手段は、
前記第１封止片に一部が固定されており、
前記封止部を前記封止具で止めると、前記第２封止片に他の部分が固定される
ことを特徴とする。
【００１０】
この基板ケースは、封止部から分離不能な封止具を用いて、封止部を構成する第１封止片及び第２封止片を止めている。そのため、この基板ケースは、封止具を封止部を取り外してケース本体を開けることができない。
【００１１】
また、この封止具を用いて第１封止片と第２封止片とを止めると、通信手段が第１封止片と第２封止片とに固定される。そのため、封止部が封止具で止められた状態でケース本体を開けようとすると、通信手段が切断され、通信手段は外部と通信できなくなる。
【００１２】
従って、この基板ケースは、ケース本体が不正に開けられたりすると通信手段が確実に破損して通信不能となるので、ケース本体の封止が不正に解かれたか否かを確実に検出することができる。
【００１３】
なお、封止具としては、例えばワンウエイネジでもよいが、その他のものでもよい。
次に、請求項２に記載した基板ケースは、
請求項１に記載の基板ケースにおいて、
前記通信手段は、
長尺状に形成されており、
長手方向の一端が前記第１封止片に固定されており、
前記封止具は、
組み合わされた前記第１封止片と前記第２封止片とを止めるため前記封止部に挿入されると前記通信手段の長手方向の他端を押し、前記封止部を止めると該他端を前記第２封止片に固定することを特徴とする。
【００１４】
このようにすると、基板ケースの製造時には、通信手段を第１封止片に固定しておくだけでよく、しかも、基板ケースの封止時には、封止具で封止部を止めれば、通信手段を第２封止片にも固定することができる。
【００１５】
従って、本発明の基板ケースを用いれば、従来の基板ケースと同様、製造の段階では、第１封止片の側に通信手段を設けるだけの簡単な構造とすることができる。
しかも、本発明の基板ケースは、ケース本体の封止時には、通信手段が第１封止片にも第２封止片にも固定されるので、ケース本体の封止が不正に開かれたか否かを確実に検出することができる。
【００１６】
尚、請求項２に記載した発明の具体例としては、請求項３に記載した発明のように、通信手段の他端に、封止具として用いられるネジの軸部を挿通可能な挿通孔が形成された挿通部を備え、ネジには、軸部の外周から突設され、軸部の軸周りに形成されたフランジ部を備える構成としてもよい。この場合、通信手段の他端は、フランジ部よりも先端側にあるネジの軸部が挿通部に通され、挿通部がフランジ部に押されて第２封止片側に移動し、ネジの軸部の先端が第２封止片に螺入されることによって第２封止片側で止められる。
もちろん、これは一例であり、他の形状としてもよい。
【００１７】
次に、請求項４に記載した基板ケースのように、通信手段は、ＩＣタグと、ＩＣタグを収納するＩＣタグ収納具とを備える構造としてもよい。この場合、請求項３で記載したリングは、ＩＣタグ収納具に形成されていればよい。
【００１８】
尚、通信手段としてはＩＣタグそのものを用いてもよいことはもちろんである。この場合、長手方向の一端にリングを有するＩＣタグを用いることが好ましい。
次に、請求項５に記載した基板ケースのように、封止具は、封止を確実に行うため、ワンウエイネジを用いることが好ましい。
【００１９】
次に、上記基板ケースを用いた封止判定システムについて説明する。
請求項６に記載された封止判定システムは、請求項１〜５のいずれか記載の基板ケースと、前記基板ケースに備えられた前記通信手段と通信可能か判定する通信判定手段と、前記通信判定手段が前記通信手段と通信できない場合、報知する第１報知手段とを備えることを特徴とする。
【００２０】
この封止判定システムでは、基板ケースで封止が解かれると、通信判定手段が基板ケースに備えられた通信手段と通信することができなくなる。そしてこの通信ができなくなると第１報知手段によって報知がなされるので、基板ケースで封止が解かれたことを、店員等がいち早く知ることができる。
【００２１】
尚、通信判定手段は、遊技機や島等に設置されていてもよいし、店員等が持ち運び可能な可搬装置に備えられていても良い。また、第１報知手段は、遊技機や島、ホールコンピュータなどに備えられていても良いし、前述した可搬装置に備えられていても良い。
【００２２】
次に、請求項７に記載された封止判定システムは、前記封止部が複数備えられた前記基板ケースで使用される請求項６に記載の封止システムであって、前記各通信手段と通信し、予め定めた複数の第２報知情報のうち前記各通信手段に予め記憶させておいた前記第２報知情報を受信する受信手段と、前記受信手段が受信した情報が、予め定めた複数の前記第２報知情報のうちのいずれかでない場合、報知する第２報知手段とを備えることを特徴とする。
【００２３】
この封止判定システムでは、複数の通信手段と通信を行った際、通信手段が不正に取り替えられるなどした場合、受信した情報には予め定めた複数の前記第２報知情報のうちのいずれか（例えば連番情報）でない情報が受信されるので、そのような場合、第２報知手段により報知がなされる。
【００２４】
従って、この封止判定システムを用いると、封止部が不正に解かれたことばかりでなく、不正を見抜かれないようにするためにＩＣタグの交換などが行われる不正が行われても、そのような不正についても、店員等がいち早く知ることができる。
【図面の簡単な説明】
【００２５】
【図１】本実施形態の基板ケースの斜視図である。
【図２】ワンウエイネジの正面図である。
【図３】（ａ）が第１ケース部材１１を図１の矢印Ａで示すように上方から見た図であり、（ｂ）が第１ケース部材１１を図１の矢印Ｂで示すように前方から後方に向かう方向に見た図であり、（ｃ）が第２ケース部材１２を図１の矢印Ｃで示すように下方から見た図であり、（ｄ）が第２ケース部材１２を図１の矢印Ｂで示すように前方から後方に向かう方向に見た図で、（ａ）〜（ｄ）では、一部を透過図で示している。
【図４】封止部２０、及び、ＩＣタグ収納具５の斜視図である。
【図５】（ａ）基板ケース１の平面図と、（ｂ）（ａ）図のα-α’断面で切断した封止部２０部分の断面図である。
【図６】第２封止片２２を斜め下方から見た斜視図である。
【図７】基板ケースの組み立て手順を示した図で、図７については、図１の矢印Ｂの方向から見た透過側面図で示している。
【図８】基板ケースの組み立て手順を示した図で、図５（ａ）のα−α’断面図で示している。
【図９】封止部が不正に切断される様子を説明するための説明図である。
【図１０】封止判定システムのブロック図である。
【図１１】ホールコンピュータ９４で実行される封止状態監視処理のフローチャート（Ｓ２００前）である。
【図１２】ホールコンピュータ９４で実行される封止状態監視処理のフローチャート（Ｓ２００後）である。
【図１３】従来の基板ケースの断面図である。
【発明を実施するための形態】
【００２６】
以下に、本願発明が適用された実施形態について説明する。
［１．基板ケースの全体構造］
本実施形態の基板ケースの全体構造について説明する。
【００２７】
ここで、図１は、基板ケースの斜視図である。
本実施形態の基板ケース１は、図１に示すように、２つのケース部材１１，１２を備えており、第１ケース部材１１は上面が開口した箱形のケース部材であり、第２ケース部材１２は下面が開口した箱形のケース部材である。
【００２８】
この第１ケース部材１１の上面と、第２ケース部材１２の下面とを合わせると、周囲側面に、これらケース部材１１，１２を合わせることによって生ずる割れ目１３を有する直方体状のケース本体１０が形成される。そして、このケース本体１０内には、回路基板を収納する密閉された内部空間１４が形成される。
【００２９】
第１ケース部材１１の周囲側面のうち、上面の長手方向（以下「左右方向」という）に垂直な各側面には、上面との稜線に沿って並べられ（この並び方向を以下「前後方向」という）、かつ、各側面から垂直に立設された４つの第１封止片２１がそれぞれ設けられている。尚、左右方向及び前後方向に垂直な方向を上下方向と呼ぶ。
【００３０】
また、第２ケース部材１２の周囲側面のうち、下面の長手方向（左右方向）に垂直な各側面にも、下面との稜線に沿って並べられ、かつ、各側面から垂直に立設された４つの第２封止片２２がそれぞれ設けられている。
【００３１】
本実施形態の基板ケース１は、各ケース部材１１、１２を重ねたとき、これら各封止片２１，２２が組み合わされ、左右方向に垂直なケース本体１０の各封止面から垂直に立設された封止部２０が形成されている。
【００３２】
本実施形態の基板ケース１は、第１封止片２１及び第２封止片２２に後述するワンウエイネジ７を通して各封止部２０をネジ止めすることにより、回路基板がケース本体１０内に封止される。
［２．ワンウエイネジ］
次に、ワンウエイネジについて説明する。
【００３３】
ここで、図２は、ワンウエイネジの正面図である。
本実施形態で用いるワンウエイネジ７は、図２に示すように、軸７０の先端の２／５ほどの部分にねじ切り溝７１が形成されており、軸７０の後端にヘッド７２が設けられている。そして、ねじ切り溝７１のヘッド７２側の端部の軸７０の周りには、ヘッド７２よりも小径なリング状のフランジ部７３を備えている。
【００３４】
このワンウエイネジ７は、周知の通りねじ切り溝７１が特殊な形状に形成されており、対象物に螺合させると、外すことができないネジである。
［３．ケース本体の詳細な構造］
次に、ケース本体１０の構造について説明する。
【００３５】
ここで、図３は、（ａ）が第１ケース部材１１を図１の矢印Ａで示すように上方から下方を見た図であり、（ｂ）が第１ケース部材１１を図１の矢印Ｂで示すように前方から後方に向かう方向に見た図であり、（ｃ）が第２ケース部材１２を図１の矢印Ｃで示すように下方から上方を見た図であり、（ｄ）が第２ケース部材１２を図１の矢印Ｂで示すように前方から後方に向かう方向に見た図で、（ａ）〜（ｄ）では、一部を透過図で示している。
【００３６】
図４は、封止部２０、及び、ＩＣタグ収納具５の斜視図である。
図５は、（ａ）基板ケース１の平面図と、（ｂ）（ａ）図のα-α’断面で切断した封止部２０部分の断面図である。
【００３７】
図６は、第２封止片２２を斜め下方から見た斜視図である。
尚、図３〜図６では、図面の見栄えのため、同一構成の符号について一部省略し、また、説明に不要な符号については一部省略している。
［３−１．第１ケース部材１１］
ケース本体１０は、上述したように、上下のケース部材１１，１２で構成されている。
【００３８】
このうち、第１ケース部材１１は、図３（ａ）（ｂ）に示すように、上面の開口１１０の周囲で、第１ケース部材１１の厚みによって生じる面１１１のうち左右方向に沿った面上に、左方向から右方向に向かって鍵の先が延びた鍵状部１１２を備えている。
【００３９】
また、第１ケース部材１１は、第２ケース部材１２と合わせるときに第２ケース部材１２の内部空間内に挿入されて位置あわせを行うため、開口１１０の左右方向の縁に沿って設けられた帯部１１３を備えている。
［３−２．第２ケース部材１２］
第２ケース部材１２は、図３（ｃ）（ｄ）に示すように、下面の開口１２０の周囲で、第２ケース部材１２の厚みによって生じる面のうち左右方向に沿った面１２１上に、鍵状部１１２に係合する係合部１２２が形成されている。
【００４０】
本実施形態では、第２ケース部材１２を第１ケース部材１１に対しやや右方向にずらして合わせ、その状態で第２ケース部材を左方向に移動させると、この係合部１２２が鍵状部１１２に係合して、第２ケース部材１２が第１ケース部材１１から外れない状態となる。
【００４１】
また、第２ケース部材１２の面１２１には、鍵状部１１２を係合部１２２に係合させるために、鍵状部１１２を係合部１２２に係合していない位置から係合する位置に移動させるための空間が必要である。そのため、第２ケース部材１２の面１２１には、鍵状部１１２を係合部１２２に係合させるための移動用の係合溝１２３が各係合部１２２毎に形成されている。
［３−３．第２封止片２２、ＩＣタグ収納具５］
第２ケース部材１２が備える第２封止片２２は、図３（ｃ）に示すように、第２ケース部材１２の内部空間１２４内まで延設されており、図３（ｄ）に示すように、補強材１２５で内部空間１２４内に固定されている。
【００４２】
また、第２封止片２２は、棒状に形成された柄部２２１の長手方向の両端のうち外側の先端に、ワンウエイネジ７をねじ込むため、他の部分と異なり軸方向が上下方向に一致する円筒状に形成された円筒部２２２を備えている。
【００４３】
また、第２封止片２２は、下面にＩＣタグを収納した後述するＩＣタグ収納具を嵌め込むための溝２２３が設けられている。
このＩＣタグ収納具５は、図４に示すように、長尺に形成された柄部５０の先端に、ワンウエイネジ７の先端部分を通す大きさの孔を有するリング状部５１を備えている。そして、柄部５０内には、長尺なＩＣタグ５２が柄部５０の長手方向に沿って備えられている。
【００４４】
第２封止片２２に形成された溝２２３は、ＩＣタグ収納具５のリング状部５１が、円筒部２２２と同軸となる位置に配置可能に形成され、柄部５０が第２封止片２２の柄部２２１の長手方向に沿って配置されるように形成されている。
【００４５】
また、ＩＣタグ収納具５は、図５に示すように、第２ケース部材１２が第１ケース部材１１に合わされたとき、リング状部５１が第１封止片２１側に移動できるよう、図４に示すように、柄部５０の他端側に形成されたボッチ部５３を、第２封止片２２に形成されたボッチ孔２２７に嵌め込むことで、柄部５０の他端側が第２封止片２２に形成された溝内で、回転可能に固定されている。
【００４６】
また、第２封止片２２の円筒部２２２は、図５に示すように、ワンウエイネジ７のフランジ部７３（図２参照）を挿通可能な挿通孔２２６が円筒部２２２と同軸となるように形成されている。
【００４７】
そのため、この第２封止片２２の挿通孔２２６にワンウエイネジ７を通すと、フランジ部７３ごと挿通孔２２６を通り、ワンウエイネジ７の先端部が、図６に示すように、ＩＣタグ収納具５のリング状部５１の孔を通る。そして、この状態でさらにワンウエイネジ７を押すと、フランジ部７３がリング状部５１を押すので、ＩＣタグ収納具５を回動させ、リング状部５１を第１封止片２１側に移動することができる。
［３−４．第１封止片２１］
第１ケース部材１１が備える第１封止片２１は、図３（ａ）に示すように、第１ケース部材１１の内部空間１１４内まで延設されており、図３（ｂ）に示すように、補強材１１５で第１ケース部材１１内に固定されている。
【００４８】
また、第１封止片２１は、棒状に形成された柄部２１１の長手方向の両端のうち外側の先端に、ワンウエイネジ７をねじ込むため、他の部分と異なり軸方向が上下方向に一致する円筒状に形成された円筒部２１２を備えている。
【００４９】
また、第１封止片２１は、ワンウエイネジ７に押されてきたＩＣタグ収納具５を第２封止片２２内で移動させるための溝２１３が設けられている。
また、第１封止片２１の円筒部２１２には、ワンウエイネジ７の先端が螺合される螺合孔２１６が円筒部２１２に同軸状に形成されている。
【００５０】
そのため、ワンウエイネジ７に押されてＩＣタグ収納具５が移動してきても、ＩＣタグ収納具５を第２封止片２２内に引き込むことができ、しかも、リング状部５１の孔に通されたワンウエイネジ７の先端を螺合孔２１６に螺合させることで、ＩＣタグ収納具５のリング状部５１を第１封止片２１内で固定することができる。
［４．組み立て方法］
次に、本実施形態の基板ケース１の組み立て方法について説明する。
【００５１】
ここで、図７及び図８は、基板ケースの組み立て手順を示した図で、図７については、図１の矢印Ｂの方向から見た透過側面図で示しており、図８は、図５（ａ）のα−α’断面図で示している。尚、図７〜図８では、図面の見栄えのため、同一構成の符号について一部省略し、また、説明に不要な符号については一部省略している。
【００５２】
本実施形態の基板ケース１に、遊技機の制御用の回路基板６を収納する場合、第１ケース部材１１内に回路基板６を収納し、図７（ａ）に示すように、第２ケース部材１２を第１ケース部材１１に対しやや右方向にずらして重ねる。
【００５３】
すると、図７（ｂ）に示すように、第２ケース部材１２は、鍵状部１１２が係合溝１２３内に収納された状態で、第１ケース部材１１が第２ケース部材１２に重ねられる。
そして、図７（ｃ）に示すように、第２ケース部材１２を左方向にずらせば、係合溝１２３内で鍵状部１１２が移動して係合部１２２と係合する。またこのとき、第１封止片２１と第２封止片２２も、円筒部２１２，２２２にワンウエイネジ７を挿入可能に組み合わせられる。
【００５４】
次に、図７（ｄ）に示すように、各封止部２０の円筒部２１２、２２２にワンウエイネジ７を挿入する。すると図８（ａ）に示すように、ワンウエイネジ７の先端がリング状部５１の孔部を通り、ＩＣタグ収納具５のフランジ部７３がリング状部５１に当たる。そしてさらに、ワンウエイネジ７を挿入すると、フランジ部７３がリング状部５１を押して第２封止片２２から第１封止片２１に移動させ、ワンウエイネジ７の先端が円筒部２１２に螺合されると、第１封止部２１内で固定される。
【００５５】
すると、第２ケース部材１２が第１ケース部材１１に対して右方向にずれなくなるので、ケース本体１０が封止される。
また、ＩＣタグ収納具５内に収納されたＩＣタグ５２は、一端が第１封止片２１内で固定され、他端が第２封止片２２内で固定されることとなる。
［５．効果］
上述した基板ケース１は、下記のような技術的な特徴がある。
【００５６】
基板ケース１は、封止部２０がネジ止めされたときに、ＩＣタグ収納具５の一端が第１封止片２１に固定され他端が第２封止片２２に固定されるので、図９（ｂ）に示すように、ＩＣタグ収納具５を切ってしまった場合はもちろん、図９（ａ）に示すように、ＩＣタグ収納具５を切らないように封止部２０の一部を切断しても、ケース本体１０を開ける際にＩＣタグ収納具５の両端が各封止片２１，２２に引っ張られて、ＩＣタグ収納具５内に収納されたＩＣタグ５２がちぎれ、ＩＣタグ５２が通信不能になる。
【００５７】
従って、この基板ケース１は、ケース本体１０の封止が解かれるとＩＣタグ５２が確実に破損して通信不能となるので、ケース本体１０の封止が不正に解かれたか否かを確実に検出することができる。
【００５８】
また、上述した基板ケース１は、第２封止片２２の側にＩＣタグ収納具５を設置しておけば、ネジ止めのときに、ＩＣタグ収納具５の一端が第１封止片２１の側に移動して固定される。
【００５９】
従って、本実施形態の基板ケース１を用いれば、従来の基板ケースと同様、封止前は、一方の封止片２２の側にのみＩＣタグを設置するだけの簡単な構造とすることができる。
しかも、本実施形態の基板ケース１は、このような簡単な構造にも関わらず、ケース本体１０の封止時には、ＩＣタグ収納具５の他端が第２封止片２２で固定され、ＩＣタグ収納具５の一端が第１封止片２１内で固定されるので、ケース本体１０の封止が不正に解かれたか否かを確実に検出することができる。
【００６０】
ところで通常、遊技機の基板ケース１は、複数回の検査が行われ、そのたびに封止が解かれ、検査後に再び封止が行われる。
しかし、本実施形態の基板ケース１は、封止部２０を複数備えているので、複数回検査が行われても、検査後に、ケース本体１０の封止が不正に解かれたか否かを確実に検出することができるように、複数回封止することができる。
［６．封止判定システム］
次に、上述した基板ケース１を用いて構成される封止判定システムについて説明する。
【００６１】
ここで、図１０は、封止判定システムのブロック図である。尚、符号１、及び、９１〜９３に相当する構成については、代表する１つの構成を除いて他の構成については符号を省略している。
［６−１．封止判定システムのブロック図］
パチンコホール内には、図１０に示すように、複数の遊技島９０が設置されている。
【００６２】
各遊技島９０には、長手方向に沿った両面に複数の遊技機９１が設置されており、各遊技機９１の裏面（遊技島９０内側の面）には、基板ケース１と、ＩＣタグと無線通信する無線通信装置９２が設置されている。
【００６３】
また、各遊技島９０には、各遊技島９０を管理する管理装置９３が設置され、管理装置９３は、この管理装置９３が設置された同じ遊技島９０に備えられている遊技機９１の基板ケース１及び無線通信装置９２と、遊技島９０内の通信ケーブルで通信可能に接続されている。
【００６４】
本実施形態で用いるＩＣタグ収納具５に収納されたＩＣタグ５２は、受動型のＩＣタグなので、無線通信装置９２がこのＩＣタグ５２と通信するときは、無線通信装置９２の側からＩＣタグ５２に信号を送ると、この信号の磁界によって発生する起電力によってＩＣタグ５２から無線通信装置９２に返信用の信号が送られる。このように、管理装置９３は、この無線通信装置９２を使用して、ＩＣタグ５２と通信を行う。
【００６５】
次に、パチンコホール内には、遊技島９０の他に、パチンコホール全体を統括するホールコンピュータ９４が設置されている。
このホールコンピュータ９４は、各遊技島９０の管理装置９３と通信可能に接続されており、この管理装置９３を介することで、パチンコホール内のすべての遊技機９１に設置された基板ケース１が備えるＩＣタグ５２と通信することができる。
【００６６】
また、ホールコンピュータ９４は、基板ケース１が不正に開けられたときに報知を行う報知装置９５を備えている。
［６−２．封止状態監視処理］
次に、封止判定システムで実行される封止状態監視処理について説明する。
【００６７】
ここで、図１１、１２は、ホールコンピュータ９４で実行される封止状態監視処理のフローチャートである。
尚、本実施形態では、封止状態監視処理を実行する前に、各遊技機９１の基板ケース１に設置される各ＩＣタグ５２には、ケース本体１０の左側及び右側のそれぞれで、前方側から後方側に向かって１〜４の連番情報が記憶されている。また、各遊技機９１毎に設定された主ＩＤ情報が各ＩＣタグ５２に記憶されている。
【００６８】
以下の封止状態監視処理の説明では、ＩＣタグ５２に、主ＩＤ情報と連番情報が記憶されているものとして説明する。
封止状態監視処理は、ホールコンピュータ９４を起動すると、すべての遊技機９１について順次実行される。そのため、１台の遊技機９１では、他のすべての遊技機９１に対して処理が終了するごとに繰り返し実行されるので、所定時間毎にこの処理が実行されることとなる。
【００６９】
この封止状態監視処理がある遊技機９１に対して開始されると、図１１に示すように、管理装置９３を介して無線通信装置９２からＩＣタグ５２に信号が送られ、各ＩＣタグ５２から主ＩＤ情報と連番情報を受信する処理が実行される（Ｓ１００）。
【００７０】
そして、読み込まれた主ＩＤ情報が共通し、連番情報が４連番である場合（Ｓ１１０：ＹＥＳ）、欠損なしとして、欠損なしの表示をホールコンピュータ９４で行い（Ｓ１１１）、後述するＳ２００の処理を実行する。
【００７１】
一方、３つのＩＣタグ５２から主ＩＤ情報と連番情報とを受信した場合（Ｓ１１０：ＮＯ）、Ｓ１２０の処理を実行する。
このＳ１２０では、３つのＩＣタグ５２から受信した主ＩＤ情報が同一であり、かつ、連番情報が４連番内かを判定する。
【００７２】
この判定（Ｓ１２０）で、主ＩＤ情報が同一であり、連番情報が４連番内であると判定されると（Ｓ１２０）、一つの封止部２０の封止が解かれていることを示す「１封止欠損記録」との表示をホールコンピュータ９４で行い（Ｓ１２１）、後述するＳ２００の処理を実行する。
【００７３】
一方、２つのＩＣタグ５２から主ＩＤ情報と連番情報とを受信した場合（Ｓ１２０：ＮＯ）、Ｓ１３０の処理を実行する。
このＳ１３０では、２つのＩＣタグ５２から受信した主ＩＤ情報が同一であり、かつ、連番情報が４連番内かを判定する。
【００７４】
この判定（Ｓ１３０）で、主ＩＤ情報が同一であり、４連番内であると判定されると（Ｓ１３０）、二つの封止部２０の封止が解かれていることを示す「２封止欠損記録」との表示をホールコンピュータ９４で行い（Ｓ１３１）、後述するＳ２００の処理を実行する。
【００７５】
一方、１つのＩＣタグ５２から主ＩＤ情報と連番情報とを受信した場合（Ｓ１３０：ＮＯ）、Ｓ１４０の処理を実行する。
この判定（Ｓ１４０）で、１つの主ＩＤ情報を検出し、連番情報が４連番内であると判定されると（Ｓ１４０：ＹＥＳ）、三つの封止部２０の封止が解かれていることを示す「３封止欠損記録」との表示をホールコンピュータ９４で行い（Ｓ１４１）、後述するＳ２００の処理を実行する。
【００７６】
一方、主ＩＤ情報と連番情報とが一つも受信できない場合（Ｓ１４０：ＮＯ）、「不正又は異常あり」の表示をホールコンピュータ９４に対して行うとともに、報知音を報知装置９５から出力させる処理（Ｓ１５０）を行って、封止状態監視処理を終了する。
【００７７】
次に、Ｓ１１１、Ｓ１２１、Ｓ１３１、Ｓ１４１の処理が実行されると、Ｓ２００の処理が実行されるので、このＳ２００以下の処理を図１２を用いて説明する。
Ｓ２００では、Ｓ１００の処理で、受信されることのないＩＤを受信したか否かを判定する処理が実行される。ＩＣタグ５２が不正に交換されるなどした場合、このようなＩＤを受信する可能性があるからである。
【００７８】
この判定で、受信されることのないＩＤを受信したと判定されたら（Ｓ２００：ＹＥＳ）、「余分なＩＤの検出有り」の表示をホールコンピュータ９４に対して行い、報知装置９５を用いて報知を出力する（Ｓ２１０）。
【００７９】
一方、受信されることのないＩＤは受信していないと判定されたら（Ｓ２００：ＮＯ）、直ちに封止状態監視処理を終了する。
［７．効果］
上述した封止鑑定システムを用いると、以下のような効果がある。
【００８０】
この封止判定システムでは、基板ケース１で封止が不正に解かれると、ホールコンピュータ９４が基板ケース１に備えられたＩＣタグ５２と通信することができなくなる。そしてこの通信ができなくなると「１封止欠損記録」等の報知がなされるので、基板ケース１で封止が不正に解かれたことを、店員等がいち早く知ることができる。
【００８１】
また、この封止判定システムを用いると、封止部２０が不正に解かれたことばかりでなく、不正を見抜かれないようにするためにＩＣタグの交換などが行われる不正が行われても報知がなされるので（Ｓ２１０）、そのような不正についても、店員等がいち早く知ることができる。
［８．対応関係］
本実施形態のＩＣタグ５２を備えるＩＣタグ収納具５は、本発明の通信手段に相当する。
【００８２】
本実施形態のＳ１１０，Ｓ１２０，Ｓ１３０，Ｓ１４０の処理は、本発明の通信判定手段に相当し、本実施形態のＳ１１１，Ｓ１２１，Ｓ１３１，Ｓ１４１の処理は、本発明の第１報知手段に相当する。
【００８３】
本実施形態のＳ１００の処理が本発明の受信手段に相当し、Ｓ２１０の処理が本発明の第２報知手段に相当する。
（その他の実施形態）
上記実施形態では、ＩＣタグ５２をＩＣタグ収納具５に収納したが、ＩＣタグそのものを、一端にリング状部を備えた形状に形成してもよい。
【００８４】
上記実施形態では、ワンウエイネジ７を用いたが、このワンウエイネジ７に代えて、土台の一方の面から二叉状に２本の足が伸び、その足の先端が鈎状に形成された封止ピンを用いてもよい。この封止ピンを用いれば、第１封止片２１及び第２封止片２２を連通するように設けた挿通孔内に押し込むだけで、これらを止めることができる。
【００８５】
封止部２０は、上記実施形態では４個×２組の合計８個を備えているが、５個×２組、あるいは４個×１組など、製品によって、数も組数も変えてもよいことはもちろんである。
【００８６】
本実施形態では、ＩＣタグ５２を用いたが、本実施形態を実施できるであれば、他のどのような通信具を用いてもよい。
また、上記実施形態では、ワンウエイネジ７が第２封止片２２に挿入されて第１封止片２１に螺入されると、これに伴ってＩＣタグ５２の先端が移動して、ＩＣタグ５２が第１封止片２１と第２封止片２２に固定される例について説明したが、ワンウエイネジ７の挿入に伴って移動するのではなく、例えば、第１封止片２１と第２封止片２２とが合わせられると、ＩＣタグ５２が第１封止片２１と第２封止片２２とに固定されるように構成してもよい。
【００８７】
本発明は、特許請求の範囲に記載された発明の趣旨に合致するものであればよく、上述の実施形態に限定されるものではない。
【符号の説明】
【００８８】
１…基板ケース、５…ＩＣタグ収納具、６…回路基板、７…ワンウエイネジ、１０…ケース本体、１１…第１ケース部材、１２…第２ケース部材、１３…割れ目、１４…内部空間、２０…封止部、２１…第１封止片、２２…第２封止片、５０…柄部、５１…リング状部、５２…ＩＣタグ、５３…ボッチ部、７０…軸、７１…ねじ切り溝、７２…ヘッド、７３…フランジ部、９０…遊技島、９１…遊技機、９２…無線通信装置、９３…管理装置、９４…ホールコンピュータ、９５…報知装置、１１０…開口、１１１…面、１１２…鍵状部、１１３…帯部、１１５…補強材、１２０…開口、１２１…面、１２２…係合部、１２３…係合溝、１２５…補強材。
【図１】
0005953702.tif 000002
【図２】
0005953702.tif 000003
【図３】
0005953702.tif 000004
【図４】
0005953702.tif 000005
【図５】
0005953702.tif 000006
【図６】
0005953702.tif 000007
【図７】
0005953702.tif 000008
【図８】
0005953702.tif 000009
【図９】
0005953702.tif 000010
【図１０】
0005953702.tif 000011
【図１１】
0005953702.tif 000012
【図１２】
0005953702.tif 000013
【図１３】
0005953702.tif 000014